(57)【特許請求の範囲】
【請求項１】
通信手段、音声出力手段及び振動発生手段を具備した他の電子機器に対する、音声出力及び振動発生を制御する電子機器であって、
前記他の電子機器と通信するための通信部と、
前記通信部を介して前記他の電子機器の音声出力及び振動発生を制御する制御部と
を備え、
前記制御部は、
前記他の電子機器に、第１の振動に比べ弱い振動である第２の振動を開始させるとともに音声の出力を開始させた後、前記第２の振動及び音声出力の終了後に前記第２の振動に続いて、前記第１の振動を開始させるように、前記他の電子機器を制御することを特徴とする電子機器。
【請求項２】
請求項１に記載の電子機器において、
前記他の電子機器は、
音声を出力させる音声ファイル、前記第１の振動を発生させる第１の振動ファイル、前記第２の振動を発生させる第２の振動ファイルを記憶する記憶手段を具備し、
前記制御部は、
前記他の電子機器内の前記音声ファイル、前記第１の振動ファイル、前記第２の振動ファイルの夫々の再生タイミングを制御するタイミング制御情報を、前記通信部を介して前記他の電子機器に送信することを特徴とする電子機器。
【請求項３】
請求項１に記載の電子機器において、
音声を出力させる音声ファイルと、前記第１の振動を発生させる第１の振動ファイルと、前記第２の振動を発生させる第２の振動ファイルとを記憶する記憶部を更に備え、
前記制御部は、
前記音声ファイル、前記第１の振動ファイル及び前記第２の振動ファイル並びに夫々のファイルの再生タイミングを制御するタイミング制御情報を、前記通信部を介して前記他の電子機器に送信することを特徴とする電子機器。
【請求項４】
音声を出力させる音声ファイルと、音声を出力させない無音声ファイルと、振動を発生させる振動ファイルとを記憶する記憶手段、通信手段、音声出力手段、及び、振動発生手段を具備した他の電子機器に対する、音声出力及び振動発生を制御する電子機器であって、
前記他の電子機器と通信するための通信部と、
前記通信部を介して前記他の電子機器の音声出力及び振動発生を制御する制御部と
を備え、
前記制御部は、
前記他の電子機器内の前記音声ファイル、前記無音声ファイル、前記振動ファイルの夫々の再生タイミングを制御するタイミング制御情報を、前記通信部を介して前記他の電子機器に送信することによって、前記他の電子機器に、前記無音声ファイルと前記振動ファイルとを同時に再生させるとともに、前記無音声ファイル及び前記振動ファイルの再生の終了後に前記無音声ファイルの再生に続いて、前記音声ファイルの再生させるように、前記他の電子機器を制御することを特徴とする電子機器。
【請求項５】
送信側の電子機器と受信側の電子機器とを備える通信システムであって、
前記受信側の電子機器は、
音声を出力させる音声ファイルと、第１の振動を発生させる第１の振動ファイルと、前記第１の振動に比べ弱い振動である第２の振動を発生させる第２の振動ファイルとを記憶する記憶部と、
前記送信側の電子機器と通信するための通信部と、
前記音声ファイルに基づいて音声を出力する音声出力部と、
前記第１の振動ファイル又は第２の振動ファイルに基づいて筐体を振動させる振動発生部とを有し、
前記送信側の電子機器は、
前記受信側の電子機器と通信するための通信部と、
前記通信部を介して前記受信側の電子機器の音声出力及び振動発生を制御する制御部とを有し、
前記制御部は、
前記受信側の電子機器内の前記音声ファイル、前記第１の振動ファイル、前記第２の振動ファイルの夫々の再生タイミングを制御するタイミング制御情報を、前記通信部を介して前記受信側の電子機器に送信することによって、前記受信側の電子機器に、前記第２の振動を開始させるとともに音声の出力を開始させた後、前記第２の振動及び音声出力の終了後に前記第２の振動に続いて、前記第１の振動を開始させるように、前記受信側の電子機器を制御することを特徴とする通信システム。
【請求項６】
送信側の電子機器と受信側の電子機器とを備える通信システムであって、
前記受信側の電子機器は、
前記送信側の電子機器と通信するための通信部と、
音声を出力させる音声ファイルに基づいて音声を出力する音声出力部と、
第１の振動を発生させる第１の振動ファイル又は前記第１の振動に比べ弱い振動である第２の振動を発生させる第２の振動ファイルに基づいて筐体を振動させる振動発生部とを有し、
前記送信側の電子機器は、
前記音声ファイルと、前記第１の振動ファイルと、前記第２の振動ファイルとを記憶する記憶部と、
前記受信側の電子機器と通信するための通信部と、
前記通信部を介して前記受信側の電子機器の音声出力及び振動発生を制御する制御部と有し、
前記制御部は、
前記音声ファイル、前記第１の振動ファイル及び前記第２の振動ファイル並びに夫々のファイルの再生タイミングを制御するタイミング制御情報を、前記通信部を介して前記受信側の電子機器に送信することによって、前記受信側の電子機器に、前記第２の振動を開始させるとともに音声の出力を開始させた後、前記第２の振動及び音声出力の終了後に前記第２の振動に続いて、前記第１の振動を開始させるように、前記受信側の電子機器を制御することを特徴とする通信システム。
【発明の詳細な説明】
【技術分野】
【０００１】
本発明は、電子機器及び通信システムに関するものである。
【背景技術】
【０００２】
従来、信号の受信時に、受信を報知するために筐体を振動させるとともに、受信を報知するための報知音を出力する技術が開示されている（例えば、特許文献１参照）。
【先行技術文献】
【特許文献】
【０００３】
【特許文献１】特開平９−２５２３３４号公報
【発明の概要】
【発明が解決しようとする課題】
【０００４】
しかしながら、特許文献１に開示された着信報知装置のように、報知音の出力タイミングと筐体の振動タイミングとが異なる場合、受信側においてそれぞれのタイミングに応じて報知音を出力し、筐体を振動させなければならないという問題がある。また、報知音の出力タイミングと異なるか同じであるかに関係なく、筐体の振動タイミングを制御する場合、振動モータの特性に起因し、指定された振動タイミングと実際に振動を開始するタイミングとの間にギャップが生じるという問題がある。
本発明は、報知音等の音声出力と筐体の振動とを制御する際に生じる上記問題に鑑みてなされたものであり、受信側における筐体の振動と報知音などの音声の出力を簡便に制御する技術、又は、受信側における振動の開始タイミングの精度を高める技術の少なくとも一方を提供する。
【課題を解決するための手段】
【０００５】
上記問題を解決するために、本発明の一態様である電子機器は、通信手段、音声出力手段及び振動発生手段を具備した他の電子機器に対する、音声出力及び振動発生を制御する電子機器であって、前記他の電子機器と通信するための通信部と、前記通信部を介して前記他の電子機器の音声出力及び振動発生を制御する制御部とを備え、前記制御部は、前記他の電子機器に、第１の振動に比べ弱い振動である第２の振動を開始させるとともに音声の出力を開始させた後、前記第２の振動及び音声出力の終了後に前記第２の振動に続いて、前記第１の振動を開始させるように、前記他の電子機器を制御することを特徴とする。
【０００７】
上記電子機器において、前記他の電子機器は、音声を出力させる音声ファイル、前記第１の振動を発生させる第１の振動ファイル、前記第２の振動を発生させる第２の振動ファイルを記憶する記憶手段を具備し、前記制御部は、前記他の電子機器内の前記音声ファイル、前記第１の振動ファイル、前記第２の振動ファイルの夫々の再生タイミングを制御するタイミング制御情報を、前記通信部を介して前記他の電子機器に送信するようにしてもよい。
【０００８】
上記電子機器は、音声を出力させる音声ファイルと、前記第１の振動を発生させる第１の振動ファイルと、前記第２の振動を発生させる第２の振動ファイルとを記憶する記憶部を更に備え、前記制御部は、前記音声ファイル、前記第１の振動ファイル及び前記第２の振動ファイル並びに夫々のファイルの再生タイミングを制御するタイミング制御情報を、前記通信部を介して前記他の電子機器に送信するようにしてもよい。
【０００９】
上記問題を解決するために、本発明の他の態様である電子機器は、音声を出力させる音声ファイルと、音声を出力させない無音声ファイルと、振動を発生させる振動ファイルとを記憶する記憶手段、通信手段、音声出力手段、及び、振動発生手段を具備した他の電子機器に対する、音声出力及び振動発生を制御する電子機器であって、前記他の電子機器と通信するための通信部と、前記通信部を介して前記他の電子機器の音声出力及び振動発生を制御する制御部とを備え、前記制御部は、前記他の電子機器内の前記音声ファイル、前記無音声ファイル、前記振動ファイルの夫々の再生タイミングを制御するタイミング制御情報を、前記通信部を介して前記他の電子機器に送信することによって、前記他の電子機器に、前記無音声ファイルと前記振動ファイルとを同時に再生させるとともに、前記無音声ファイル及び前記振動ファイルの再生の終了後に前記無音声ファイルの再生に続いて、前記音声ファイルの再生させるように、前記他の電子機器を制御することを特徴とする。
【発明の効果】
【００１０】
本発明によれば、受信側における筐体の振動と報知音などの音声の出力を簡便に制御し、若しくは、受信側における振動の開始タイミングの精度を高めることができる。
【図面の簡単な説明】
【００１１】
【図１】本発明の第１の実施形態による通信システム１の構成図である。
【図２】送信側の電子機器１０から受信側の電子機器２０に送信される情報の一例である。
【図３】受信側の電子機器２０における各ファイルの再生のタイミングの一例を説明するための模式図である。
【図４】通信システム１、２の夫々の動作の一例を示すフローチャートである。
【図５】受信側の電子機器２０における各ファイルの再生のタイミングの一例を説明するための模式図である。
【図６】本発明の第２の実施形態による通信システム２の構成図である。
【図７】送信側の電子機器１１から受信側の電子機器２１に送信される情報の一例である。
【発明を実施するための形態】
【００１２】
（第１の実施形態）
以下、図面を参照しながら本発明の第１の実施形態について説明する。図１は、本発明の第１の実施形態による通信システム１の構成図である。図２は、送信側の電子機器１０から受信側の電子機器２０に送信される情報の一例である。図３は、受信側の電子機器２０における各ファイルの再生のタイミングの一例を説明するための模式図である。
【００１３】
通信システム１は、図１に示すように、送信側の電子機器１０と受信側の電子機器２０とを備える。電子機器１０は、操作受付部１１０、制御部１２０及び通信部１３０を備える。電子機器２０は、記憶部２００、制御部２２０、通信部２３０、音声出力部２４０及び振動発生部２５０を備える。
【００１４】
まずは、受信側について説明する。記憶部２００は、音声を出力させる音声ファイルと、第１の振動を発生させる第１の振動ファイルと、第１の振動に比べ弱い振動である第２の振動を発生させる第２の振動ファイルとを記憶する。なお、記憶部２００は、再生時間が異なる複数の第２の振動ファイルを記憶してもよい。また、記憶部２００は、再生時間が設定可能（可変長）である第２の振動ファイルを記憶してもよい。
【００１５】
第１の振動ファイルの再生によって発生する第１の振動は、電子機器２０のユーザがその振動を感知することが可能な振動である。第２の振動ファイルの再生によって発生する第２の振動は、上述の如く第１の振動に比べ弱い振動であるが、具体的には、電子機器２０のユーザがその振動を感知し難い予備的な振動、又は、何ら振動しない無振動である。
【００１６】
音声出力部２４０は、スピーカであって、制御部２２０の制御（音声ファイルの再生）に従って、記憶部２００に記憶されている音声ファイルに基づいて音声を出力する。振動発生部２５０は、振動モータであって、制御部２２０の制御（第１の振動ファイルの再生）に従って、記憶部２００に記憶されている第１の振動ファイルに基づいて電子機器２０の筐体を振動させる。また、振動発生部２５０は、制御部２２０の制御（第２の振動ファイルの再生）に従って、記憶部２００に記憶されている第２の振動ファイルに基づいて電子機器２０の筐体を振動させる。具体的には、第２の振動ファイルが、筐体を予備的に振動させるような情報を保持している場合には、振動発生部２５０は、制御部２２０の制御に従って、電子機器２０の筐体を予備的に振動させる。また、第２の振動ファイルが、筐体を振動させないような情報を保持している場合には、制御部２２０の制御に従って、振動発生部２５０は、電子機器２０の筐体を振動させない。なお、振動発生部２５０は、後述のように、通信部２３０から取得したタイミング制御情報に従って各ファイル（音声ファイル、第１の振動ファイル、第２の振動ファイル）の再生タイミングを制御する制御部２２０の制御に従って、電子機器２０の筐体を振動させるため、例えば、制御部２２０が第２の振動ファイルに続いて第１の振動ファイルを再生させる旨を示すタイミング制御情報を通信部２３０から取得した場合には、振動発生部２５０は、制御部２２０の制御に従って、第２の振動ファイルに基づいて電子機器２０の筐体を振動させた後に第１の振動ファイルに基づいて電子機器２０の筐体を振動させることになる。
【００１７】
通信部２３０は、電子機器１０と通信する。例えば、通信部２３０は、記憶部２００に記憶されている音声ファイル、第１の振動ファイル、第２の振動ファイルの夫々の再生タイミングを制御するタイミング制御情報を、電子機器１０から受信する。
【００１８】
制御部２２０は、電子機器２０の全体の動作を制御する。例えば、制御部２２０は、通信部２３０からタイミング制御情報を取得し、取得したタイミング制御情報に従って、記憶部２００に記憶されている各ファイルを再生する。制御部２２０による音声ファイルの再生によって、音声出力部２４０は当該音声ファイルに係る音声を出力する。制御部２２０による第１の振動ファイルの再生によって、振動発生部２５０は当該第１の振動ファイルに係る第１の振動を発生させる。制御部２２０による第２の振動ファイルの再生によって、振動発生部２５０は当該第２の振動ファイルに係る第２の振動を発生させる（但し、上述の如く、第２の振動ファイルが筐体を振動させないような情報を保持している場合には振動が発生しない）。なお、上述の如く、制御部２２０は、通信部２３０から取得したタイミング制御情報に従って各ファイルを再生するため、例えば、第２の振動ファイルに続いて第１の振動ファイルを再生させる旨を示すタイミング制御情報を取得した場合には、制御部２２０は、第２の振動ファイルを再生した後に第１の振動ファイルを再生することになる。また例えば、第２の振動ファイルと同時に音声ファイルを再生させる旨を示すタイミング制御情報を取得した場合には、制御部２２０は、第２の振動ファイルと同時に音声ファイルを再生することになる。
【００１９】
続いて、送信側について説明する。操作受付部１１０は、電子機器１０のユーザからの操作を受け付ける。例えば、操作受付部１１０は、電子機器２０との通信を開始する旨の操作を受け付ける。
【００２０】
通信部１３０は、電子機器２０と通信する。例えば、通信部１３０は、制御部１２０の制御（送信の指示）に従って、電子機器２０の記憶部２００に記憶されている音声ファイル、第１の振動ファイル、第２の振動ファイルの夫々の再生タイミングを制御するタイミング制御情報を、電子機器２０に送信する。
【００２１】
制御部１２０は、通信部１３０を介して電子機器２０の音声出力及び振動発生を制御する。具体的には、制御部１２０は、通信部１３０を介して、図２（ａ）に示すような、上述のタイミング制御情報を電子機器２０に送信することによって、電子機器２０の音声出力及び振動発生を制御する。なお、図２（ａ）においては、音声ファイルの再生タイミングを制御するタイミング制御情報、第１の振動ファイルの再生タイミングを制御するタイミング制御情報、第２の振動ファイルの再生タイミングを制御するタイミング制御情報を夫々別個に記載しているが、制御部１２０は、各タイミング情報を纏めた１つのタイミング情報を電子機器２０に送信してもよい。
【００２２】
例えば、制御部１２０は、タイミング制御情報を、通信部１３０を介して電子機器２０に送信することによって、電子機器２０に、第２の振動を開始させるとともに音声の出力を開始させた後、第２の振動及び音声出力の終了後に前記第２の振動に続いて、第１の振動を開始させるように、電子機器２０を制御する。換言すれば、制御部１２０は、第２の振動を開始させるとともに音声の出力を開始させた後、第２の振動及び音声出力の終了後に前記第２の振動に続いて第１の振動を開始させるようなタイミング制御情報を、通信部１３０を介して、電子機器２０に送信する。
【００２３】
なお、電子機器２０は、第２の振動を開始させるとともに音声の出力を開始させた後、第２の振動及び音声出力の終了後に前記第２の振動に続いて第１の振動を開始させるような、タイミング制御情報を電子機器１０から受信した場合、図３（ａ）又は図３（ｂ）に示すように、音声を出力し、振動を発生させる。
【００２４】
図３（ａ）は、音声ファイルの再生タイミングとして時刻ｔ０、第１の振動ファイルの再生タイミングとして時刻ｔ４、予め定められた再生時間である第２の振動ファイルの４回の再生タイミングとしてｔ０、ｔ１、ｔ２、ｔ３が、電子機器１０から電子機器２０に送信された場合における、電子機器２０における音声の出力タイミング及び振動の発生タイミングを示している。なお、図３（ａ）に示すように、音声ファイルに続けて第１の振動ファイルを再生させる場合には、電子機器１０は、音声ファイルの再生開始時刻にその再生時間を加算した時刻を第１の振動ファイルの再生開示時刻として設定する（図３（ｂ）、図５（ａ）（ｂ）についても同様である）。また、同一ファイル（図３（ａ）の場合、第２の振動ファイル）を複数回再生（図３（ａ）の場合、４回再生）させる場合に、電子機器１０は、図３（ａ）に示すように、各再生における再生開始時刻（図３（ａ）の場合、ｔ０、ｔ１、ｔ２、ｔ３）を電子機器２０に送信してもよいが、電子機器１０は、１回目の再生時刻（図３（ａ）の場合、ｔ０）と、再生回数（図３（ａ）の場合、４回）を電子機器２０に送信してもよい（図３（ｃ）、図５（ａ）についても同様である）。
【００２５】
図３（ｂ）は、音声ファイルの再生タイミングとして時刻ｔ０、第１の振動ファイルの再生タイミングとして時刻ｔ４、音声ファイルの再生時間と同一の再生時間である再生時間である第２の振動ファイルの再生タイミングとしてｔ０が、電子機器１０から電子機器２０に送信された場合における、電子機器２０における音声の出力タイミング及び振動の発生タイミングを示している。なお、図３（ｂ）に示すように、第２の振動ファイルの再生時間を音声ファイルの再生時間と同一とするには、電子機器２０は、記憶部２００に再生時間の異なる複数の第２の振動ファイルが記憶されている場合には、音声ファイルの再生時間と同一の再生時間の第２の振動ファイルを選択し、記憶部２００に再生時間が設定可能である第２の振動ファイルが記憶されている場合には、当該第２の振動ファイルの再生時間として、音声ファイルの再生時間と同一の再生時間を設定する（図３（ｄ）、図５（ｂ）（ｄ）についても同様である）。
【００２６】
また例えば、制御部１２０は、タイミング制御情報を、通信部１３０を介して電子機器２０に送信することによって、電子機器２０に、第２の振動を開始させた後、第２の振動の終了後に第２の振動に続いて、第１の振動を開始させるとともに音声出力を開始させるように、電子機器２０を制御する。換言すれば、制御部１２０は、第２の振動を開始させた後、第２の振動の終了後に第２の振動に続いて第１の振動を開始させるとともに音声出力を開始させるようなタイミング制御情報を、通信部１３０を介して、電子機器２０に送信する。
【００２７】
なお、電子機器２０は、第２の振動を開始させた後、第２の振動の終了後に第２の振動に続いて、第１の振動を開始させるとともに音声出力を開始させるような、タイミング制御情報を電子機器１０から受信した場合、図３（ｃ）又は図３（ｄ）に示すように、音声を出力し、振動を発生させる。
【００２８】
図３（ｃ）は、音声ファイルの再生タイミングとして時刻ｔ４、第１の振動ファイルの再生タイミングとして時刻ｔ４、予め定められた再生時間である第２の振動ファイルの４回の再生タイミングとしてｔ０、ｔ１、ｔ２、ｔ３が、電子機器１０から電子機器２０に送信された場合における、電子機器２０における音声の出力タイミング及び振動の発生タイミングを示している。
【００２９】
図３（ｄ）は、音声ファイルの再生タイミングとして時刻ｔ４、第１の振動ファイルの再生タイミングとして時刻ｔ４、音声ファイルの再生時間と同一の再生時間である再生時間である第２の振動ファイルの再生タイミングとしてｔ０が、電子機器１０から電子機器２０に送信された場合における、電子機器２０における音声の出力タイミング及び振動の発生タイミングを示している。
【００３０】
以下、フローチャートを用いて通信システム１の動作を説明する。図４は、通信システム１の動作、及び、通信システム２（後述）の動作の一例を示すフローチャートである。具体的には、図４（ａ）が通信システム１の動作の一例を示すフローチャートであって、左側が電子機器１０の動作、右側が電子機器２０の動作を示している。
【００３１】
図４（ａ）において、操作受付部１１０は、電子機器２０との通信を開始する旨の操作を受け付ける（ステップＳ１０）。電子機器２０との通信を開始する旨の操作を受け付けた操作受付部１１０は、電子機器２０との通信を開始する旨の操作を受け付けた旨の通知を制御部１２０に出力する。
【００３２】
操作受付部１１０から上記操作を受け付けた旨の通知を取得した制御部１２０は、各ファイル（音声ファイル、第１の振動ファイル、第２の振動ファイル）を制御する各タイミング制御情報（音声ファイルの再生タイミングを制御するタイミング制御情報、第１の振動ファイルの再生タイミングを制御するタイミング制御情報、第２の振動ファイルの再生タイミングを制御するタイミング制御情報）を、通信部１３０を介して、電子機器２０に送信する（ステップＳ１２）。そして電子機器１０に係る動作は終了する。
【００３３】
電子機器２０の通信部２３０は、各タイミング制御情報を電子機器１０から受信する（ステップＳ２０）。各タイミング制御情報を受信した通信部２３０は、各タイミング制御情報を制御部２２０に出力する。
【００３４】
通信部２３０から各タイミング制御情報を取得した制御部２２０は、各タイミング制御情報に従って、記憶部２００に記憶されている各ファイルを再生する（ステップＳ２２）。そして電子機器２０に係る動作は終了する。なお、ステップＳ２２の再生によって、電子機器２０は、例えば、図３（ａ）〜図３（ｄ）のように、音声を出力し、振動を発生させる。
【００３５】
以上、本発明の第１の実施形態による通信システム１によれば、受信側における筐体の振動と報知音などの音声の出力を簡便に制御することができる。図３（ａ）（ｂ）に示すように、音声と振動の最初の再生開示時刻（図３の場合、ｔ０）が一致しているからである。また、通信システム１によれば、受信側における筐体の振動と報知音などの音声の出力を簡便に制御することに代えて又は加えて、受信側における振動の開始タイミングの精度を高めることができる。第２の振動が予備的な振動である場合、図３（ａ）〜（ｄ）に示すように、第２の振動に続いて第１の振動が生じるため、第１の振動の立ち上りの精度が向上するからである。
【００３６】
なお、第１の実施形態においては、電子機器２０は、音声ファイルと、第１の振動ファイルと、第２の振動ファイルとを保持し、電子機器１０は、電子機器２０が保持する音声ファイル、第１の振動ファイル、第２の振動ファイルの夫々の再生タイミングを制御するタイミング制御情報を、電子機器２０に送信する態様を説明したが、他の態様も考えられる。図５は、受信側の電子機器２０における各ファイルの再生のタイミングの一例を説明するための模式図である。
【００３７】
例えば、電子機器２０は、第２の振動ファイルに代えて、音声を出力させない無音声ファイルを保持してもよい。即ち、電子機器２０の記憶部２００は、音声ファイルと無音声ファイルと第１の振動ファイルとを記憶してもよい。電子機器２０が音声ファイルと無音声ファイルと第１の振動ファイルとを保持する場合、電子機器１０は、図２（ｂ）に示すように、電子機器２０が保持する音声ファイル、無音声ファイル、第１の振動ファイルの夫々の再生タイミングを制御するタイミング制御情報を、電子機器２０に送信する。
【００３８】
例えば、電子機器１０は、電子機器２０に、図５（ａ）又は図５（ｂ）に示すように、無音声ファイルと第１の振動ファイルとを同時に再生させるとともに、無音声ファイル及び第１の振動ファイルの再生の終了後に無音声ファイルの再生に続いて、音声ファイルを再生させるような、タイミング制御情報を、電子機器２０に送信する。換言すれば、電子機器１０の制御部１２０は、電子機器２０内の音声ファイル、無音声ファイル、第１の振動ファイルの夫々の再生タイミングを制御するタイミング制御情報を、通信部１３０を介して電子機器２０に送信することによって、例えば、図５（ａ）又は図５（ｂ）に示すように、電子機器２０を制御する。
【００３９】
なお、図２（ｂ）においては、音声ファイルの再生タイミングを制御するタイミング制御情報、無音声ファイルの再生タイミングを制御するタイミング制御情報、第１の振動ファイルの再生タイミングを制御するタイミング制御情報を夫々別個に記載しているが、制御部１２０は、各タイミング情報を纏めた１つのタイミング情報を電子機器２０に送信してもよい。
【００４０】
また例えば、電子機器２０は、第２の振動ファイルに加えて、無音声ファイルを保持してもよい。即ち、電子機器２０の記憶部２００は、音声ファイルと無音声ファイルと第１の振動ファイルと第２の振動ファイルとを記憶してもよい。電子機器２０が音声ファイルと無音声ファイルと第１の振動ファイルと第２の振動ファイルとを保持する場合、電子機器１０は、図２（ｃ）に示すように、電子機器２０が保持する音声ファイル、無音声ファイル、第１の振動ファイル、第２の振動ファイルの夫々の再生タイミングを制御するタイミング制御情報を、電子機器２０に送信する。
【００４１】
例えば、電子機器１０は、電子機器２０に、図５（ｃ）又は図５（ｄ）に示すように、無音声ファイルと第２の振動ファイルとを同時に再生させるとともに、第２の振動ファイルの再生の終了後に第２の振動ファイルの再生に続いて第１の振動ファイルを、無音声ファイルの再生の終了後に無音声ファイルの再生に続いて音声ファイルを再生させるような、タイミング制御情報を、電子機器２０に送信する。換言すれば、電子機器１０の制御部１２０は、電子機器２０内の音声ファイル、無音声ファイル、第１の振動ファイル、第２の振動ファイルの夫々の再生タイミングを制御するタイミング制御情報を、通信部１３０を介して電子機器２０に送信することによって、例えば、図５（ｃ）又は図５（ｄ）に示すように、電子機器２０を制御する。
【００４２】
なお、図２（ｃ）においては、音声ファイルの再生タイミングを制御するタイミング制御情報、無音声ファイルの再生タイミングを制御するタイミング制御情報、第１の振動ファイルの再生タイミングを制御するタイミング制御情報、第２の振動ファイルの再生タイミングを制御するタイミング制御情報を夫々別個に記載しているが、制御部１２０は、各タイミング情報を纏めた１つのタイミング情報を電子機器２０に送信してもよい。
【００４３】
電子機器２０が、図５（ａ）〜（ｄ）に示すように動作する場合、音声と振動の最初の再生開示時刻（図５の場合、ｔ０）が一致しているため、受信側における筐体の振動と報知音などの音声の出力を簡便に制御することができる。また、電子機器２０が、図５（ｃ）（ｄ）に示すように動作する場合、第２の振動に続いて第１の振動が生じるため、第１の振動の立ち上りの精度が向上する。
【００４４】
（第２の実施形態）
以下、図面を参照しながら本発明の第２の実施形態について説明する。図６は、本発明の第２の実施形態による通信システム２の構成図である。図７は、送信側の電子機器１１から受信側の電子機器２１に送信される情報の一例である。
【００４５】
通信システム２は、図６に示すように、送信側の電子機器１１と受信側の電子機器２１とを備える。電子機器１１は、記憶部１０１、操作受付部１１０、制御部１２１及び通信部１３０を備える。電子機器２１は、制御部２２１、通信部２３０、音声出力部２４０及び振動発生部２５０を備える。なお、電子機器１１の操作受付部１１０及び通信部１３０は、第１の実施形態の電子機器１０の操作受付部１１０及び通信部１３０と同様であるため、説明の一部又は全部を省略する。また、電子機器２１の通信部２３０、音声出力部２４０及び振動発生部２５０は、第１の実施形態の電子機器２０の通信部２３０、音声出力部２４０及び振動発生部２５０と同様であるため、説明の一部又は全部を省略する。
【００４６】
まずは、受信側について説明する。制御部２２１は、電子機器２１の全体の動作を制御する。例えば、制御部２２１は、通信部２３０から、各ファイル（音声ファイル、第１の振動ファイル及び第２の振動ファイル）、及び、各ファイルの夫々の再生タイミングを制御するタイミング制御情報を取得し、取得したタイミング制御情報に従って、取得した各ファイルを再生する。制御部２２１による音声ファイルの再生によって、音声出力部２４０は当該音声ファイルに係る音声を出力する。制御部２２１による第１の振動ファイルの再生によって、振動発生部２５０は当該第１の振動ファイルに係る第１の振動を発生させる。制御部２２１による第２の振動ファイルの再生によって、振動発生部２５０は当該第２の振動ファイルに係る第２の振動を発生させる（但し、上述の如く、第２の振動ファイルが筐体を振動させないような情報を保持している場合には振動が発生しない）。
【００４７】
続いて、送信側について説明する。記憶部１０１は、音声ファイルと第１の振動ファイルと第２の振動ファイルとを記憶する。なお、記憶部１０１は、再生時間が異なる複数の第２の振動ファイルを記憶してもよい。また、記憶部１０１は、再生時間が設定可能（可変長）である第２の振動ファイルを記憶してもよい。
【００４８】
制御部１２１は、通信部１３０を介して電子機器２１の音声出力及び振動発生を制御する。具体的には、制御部１２１は、通信部１３０を介して、図７（ａ）に示すように、各ファイル（音声ファイル、第１の振動ファイル及び第２の振動ファイル）と、各ファイルの夫々の再生タイミングを制御するタイミング制御情報を電子機器２１に送信することによって、電子機器２１の音声出力及び振動発生を制御する。なお、図７（ａ）においては、音声ファイルの再生タイミングを制御するタイミング制御情報、第１の振動ファイルの再生タイミングを制御するタイミング制御情報、第２の振動ファイルの再生タイミングを制御するタイミング制御情報を夫々別個に記載しているが、制御部１２１は、各タイミング情報を纏めた１つのタイミング情報を電子機器２１に送信してもよい。また、制御部１２１は、各ファイルと各タイミング情報とを纏めた１つの情報を電子機器２１に送信してもよい（図７（ｂ）、図７（ｃ）についても同様である）。
【００４９】
例えば、制御部１２１は、記憶部１０１に記憶されている各ファイルと、各ファイルの夫々の再生タイミングを制御するタイミング制御情報とを、通信部１３０を介して電子機器２１に送信することによって、電子機器２１に、第２の振動を開始させるとともに音声の出力を開始させた後、第２の振動及び音声出力の終了後に前記第２の振動に続いて、第１の振動を開始させるように、電子機器２１を制御する。換言すれば、制御部１２１は、第２の振動を開始させるとともに音声の出力を開始させた後、第２の振動及び音声出力の終了後に前記第２の振動に続いて第１の振動を開始させるように、各ファイルと、各ファイルの夫々の再生タイミングを制御するタイミング制御情報とを、通信部１３０を介して、電子機器２１に送信する。
【００５０】
なお、電子機器２１は、第２の振動を開始させるとともに音声の出力を開始させた後、第２の振動及び音声出力の終了後に前記第２の振動に続いて第１の振動を開始させるような、各ファイル及びタイミング制御情報を電子機器１１から受信した場合、図３（ａ）又は図３（ｂ）に示すように、音声を出力し、振動を発生させる。
【００５１】
また例えば、制御部１２１は、記憶部１０１に記憶されている各ファイルと、各ファイルの夫々の再生タイミングを制御するタイミング制御情報とを、通信部１３０を介して電子機器２１に送信することによって、電子機器２１に、第２の振動を開始させた後、第２の振動の終了後に第２の振動に続いて、第１の振動を開始させるとともに音声出力を開始させるように、電子機器２１を制御する。換言すれば、制御部１２１は、第２の振動を開始させた後、第２の振動の終了後に第２の振動に続いて第１の振動を開始させるとともに音声出力を開始させるように、各ファイルと、各ファイルの夫々の再生タイミングを制御するタイミング制御情報とを、通信部１３０を介して、電子機器２１に送信する。
【００５２】
なお、電子機器２１は、第２の振動を開始させた後、第２の振動の終了後に第２の振動に続いて、第１の振動を開始させるとともに音声出力を開始させるような、各ファイル及びタイミング制御情報を電子機器１１から受信した場合、図３（ｃ）又は図３（ｄ）に示すように、音声を出力し、振動を発生させる。
【００５３】
以下、図４（ｂ）に示すフローチャートを用いて通信システム２の動作を説明する。図４（ａ）において、左側が電子機器１１の動作、右側が電子機器２１の動作を示している。
【００５４】
図４（ｂ）において、操作受付部１１０は、電子機器２１との通信を開始する旨の操作を受け付ける（ステップＳ３０）。電子機器２１との通信を開始する旨の操作を受け付けた操作受付部１１０は、電子機器２１との通信を開始する旨の操作を受け付けた旨の通知を制御部１２１に出力する。
【００５５】
操作受付部１１０から上記操作を受け付けた旨の通知を取得した制御部１２１は、記憶部１０１から取得した各ファイル（音声ファイル、第１の振動ファイル、第２の振動ファイル）ととともに、各ファイルの再生タイミングを制御する各タイミング制御情報（音声ファイルの再生タイミングを制御するタイミング制御情報、第１の振動ファイルの再生タイミングを制御するタイミング制御情報、第２の振動ファイルの再生タイミングを制御するタイミング制御情報）を、通信部１３０を介して、電子機器２１に送信する（ステップＳ３２）。そして電子機器１１に係る動作は終了する。
【００５６】
電子機器２１の通信部２３０は、各ファイル及び各タイミング制御情報を電子機器１１から受信する（ステップＳ４０）。各ファイル及び各タイミング制御情報を受信した通信部２３０は、各ファイル及び各タイミング制御情報を制御部２２１に出力する。各ファイル及び各タイミング制御情報を受信した通信部２３０は、各ファイル及び各タイミング制御情報を制御部２２１に出力する。
【００５７】
通信部２３０から各ファイル及び各タイミング制御情報を取得した制御部２２１は、当該各タイミング制御情報に従って、当該各ファイルを再生する（ステップＳ４２）。そして電子機器２１に係る動作は終了する。なお、ステップＳ４２の再生によって、電子機器２１は、例えば、図３（ａ）〜図３（ｄ）のように、音声を出力し、振動を発生させる。
【００５８】
以上、本発明の第２の実施形態による通信システム２によれば、第１の実施形態による通信システム１と同様の効果を得ることができる。なお、第１の実施形態による通信システム１の場合、第２の実施形態による通信システム２の場合よりも、受信側から送信側に送信する情報を少なくすることができる（図２、図７参照）。なお、第２の実施形態による通信システム２の場合、受信側に各ファイルを保持させる必要がない（図１、図６参照）。
【００５９】
なお、第２の実施形態において、第１の実施形態と同様、受信側で無音声ファイルを再生させるようにしてもよい。つまり、電子機器１１は、第２の振動ファイルに代えて無音声ファイルを保持してもよい。即ち、電子機器１１の記憶部１０１は、音声ファイルと無音声ファイルと第１の振動ファイルとを記憶してもよい。電子機器１１は、音声ファイルと無音声ファイルと第１の振動ファイルとを保持する場合、図７（ｂ）に示すように、音声ファイル、無音声ファイル、第１の振動ファイル、これらの各ファイルの再生タイミングを制御するタイミング制御情報を、電子機器２１に送信する。
【００６０】
例えば、電子機器１１の制御部１２１は、音声ファイル、無音声ファイル、第１の振動ファイル、これらの各ファイルの再生タイミングを制御するタイミング制御情報を、通信部１３０を介して電子機器２１に送信することによって、例えば、図５（ａ）又は図５（ｂ）に示すように、電子機器２１を制御する。
【００６１】
また、電子機器１１は、第２の振動ファイルに加えて、無音声ファイルを保持してもよい。即ち、電子機器１１の記憶部１０１は、音声ファイルと無音声ファイルと第１の振動ファイルと第２の振動ファイルとを記憶してもよい。電子機器１１は、音声ファイルと無音声ファイルと第１の振動ファイルと第２の振動ファイルとを保持する場合、図７（ｃ）に示すように、音声ファイル、無音声ファイル、第１の振動ファイル、第２の振動ファイル、これらの各ファイルの再生タイミングを制御するタイミング制御情報を、電子機器２１に送信する。
【００６２】
例えば、電子機器１１の制御部１２１は、音声ファイル、無音声ファイル、第１の振動ファイル、第２の振動ファイル、これらの各ファイルの再生タイミングを制御するタイミング制御情報を、通信部１３０を介して電子機器２１に送信することによって、例えば、図５（ｃ）又は図５（ｄ）に示すように、電子機器２１を制御する。
【００６３】
なお、第１、第２の実施形態においては、受信側にて第２の振動ファイルに続いて第１の振動ファイルが再生される態様について説明したが、第２の振動ファイルに続いて第１の振動ファイルが再生され、更に、第１の振動ファイルに続いて第２の振動ファイルが再生され、更に、第２の振動ファイルに続いて第１の振動ファイルが再生されるようにしてもよい（第２の振動ファイルと第１の振動ファイルとが交互に再生されるようにしてもよい）。無音声ファイルと音声ファイルについても同様である。
【００６４】
なお、本発明の一実施形態による電子機器１０、１１、２０、２１の各処理を実行するためのプログラムをコンピュータ読み取り可能な記録媒体に記録して、当該記録媒体に記録されたプログラムをコンピュータシステムに読み込ませ、実行することにより、電子機器１０、１１、２０、２１の各処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６６】
以上、この発明の実施形態について図面を参照して詳述してきたが、具体的な構成はこの実施形態に限られるものではなく、この発明の要旨を逸脱しない範囲の設計等も含まれる。
【符号の説明】
【００６７】
１、２…通信システム
１０、１１、２０、２１…電子機器
１０１、２００…記憶部
１１０…操作受付部
１２０、１２１、２２０、２２１…制御部
１３０、２３０…通信部
２４０…音声出力部
２５０…振動発生部
【図１】
0005707892.tif 000002
【図２】
0005707892.tif 000003
【図３】
0005707892.tif 000004
【図４】
0005707892.tif 000005
【図５】
0005707892.tif 000006
【図６】
0005707892.tif 000007
【図７】
0005707892.tif 000008